(57)【特許請求の範囲】
【請求項１】
用時開通可能な仕切り手段によって区画された複数の収容室を有するバッグ本体と、該バッグ本体の縦方向一方側端に取り付けられた注出口と、前記バッグ本体に挟持させた挟持体と、を有する輸液バッグであって、
前記バッグ本体は、少なくとも一つの収容室に液剤が収容され、
前記挟持体は、互いに連結された一対の挟持片と、前記輸液バッグを縦方向に吊すための吊掛部とを備え、
前記一対の挟持片は、前記バッグ本体を横切るようにして配置され、
前記一対の挟持片間の隙間は、前記仕切り手段を開通させることにより該液剤の収容された収容室上を前記挟持体が前記バッグ本体の縦方向他方側へスライド可能となるような寸法に形成され、
更に、前記輸液バッグは、前記バッグ本体の縦方向他方側端から前記挟持体が抜脱することを防ぐストッパー部を有し、
前記吊掛部は、前記挟持体を前記ストッパー部までスライドさせたときに、バッグ本体から露出して吊掛け可能となるように構成されていることを特徴とする輸液バッグ。
【請求項２】
前記吊掛部は、前記バッグ本体の表面に沿って前記挟持片から前記注出口と反対側に延びる突片と、該突片に形成された吊掛孔と、を有することを特徴とする請求項１記載の輸液バッグ。
【請求項３】
前記ストッパー部は、前記バッグ本体の縦方向他方側の周縁シール部に形成された突部によって構成されていることを特徴とする請求項１記載の輸液バッグ。
【発明の詳細な説明】
【技術分野】
【０００１】
本発明は、輸液バッグ、特に、用時開通可能な仕切り手段によって区画された複数の収容室を有し、使用時にこれら複数の収容室の少なくとも一つを手のひら等で押圧することで仕切り手段が開通して複数の収容室を連通させることにより、それら複数の収容室の各々に収容されていた内容物を混合させるようにした輸液バッグに関する。
【背景技術】
【０００２】
従来のこの種の輸液バッグは、ダブルバッグ、複室容器等とも称されるが、仕切り手段を開通せずに、即ち、複数の収容室の内容物を混合させずに使用することがないよう、様々な未混合防止機構が工夫されている。
【０００３】
そのような未混合防止機構として、例えば、輸液バッグを吊り下げるための懸垂孔を保護部材で覆い、その保護部材を、仕切り手段を開封して懸垂孔に隣接する収容室から液状薬剤を他の収容室に移動させることにより懸垂孔から取り外すことができるようにした機構（特許文献１）等が知られている。
【特許文献１】特開２００５−２４５６７７号公報
【発明の開示】
【発明が解決しようとする課題】
【０００４】
しかしながら、上記従来の未混合防止機構では、保護部材が一方の収容部全体を覆うため大型化且つ嵩高となる。そのためコスト高、搬送に不利、輸液バッグを折り畳み難い、廃棄物容量の増大、等の問題を生じる。
【０００５】
そこで、本発明は、未混合防止機構を備える輸液バッグであって、上記従来の問題を解消し得る輸液バッグを提供することを目的とする。
【課題を解決するための手段】
【０００６】
上記目的を達成するため、本発明に係る輸液バッグは、用時開通可能な仕切り手段によって区画された複数の収容室を有するバッグ本体と、該バッグ本体の縦方向一方側端に取り付けられた注出口と、前記バッグ本体に挟持させた挟持体と、を有する輸液バッグであって、前記バッグ本体は、少なくとも一つの収容室に液剤が収容され、  前記挟持体は、互いに連結された一対の挟持片と、前記輸液バッグを縦方向に吊すための吊掛部とを備え、前記一対の挟持片は、前記バッグ本体を横切るようにして配置され、前記一対の挟持片間の隙間は、前記液剤の収容された収容室を開通させることにより該液剤の収容された収容室上を前記挟持体が前記バッグ本体の縦方向他方側へスライド可能となるような寸法に形成され、更に、前記輸液バッグは、前記バッグ本体の縦方向他方側端から前記挟持体が抜脱することを防ぐストッパー部を有し、前記吊掛部は、前記挟持体を前記ストッパー部までスライドさせたときに、バッグ本体から露出して吊掛け可能となるように構成されていることを特徴とする。
【０００７】
前記吊掛部は、前記バッグ本体の表面に沿って前記挟持片から前記注出口と反対側に延びる突片と、該突片に形成された吊掛孔と、を有することが好ましい。
【０００８】
前記ストッパー部は、前記バッグ本体の縦方向他方側の周縁シール部に形成された突部によって構成されていることが好ましい。
【０００９】
なお、特許請求の範囲及び明細書において、「縦方向」とは輸液バッグを輸液スタンドと称される専用のフックに吊り下げた際の上下方向を意味し、「横切る」とは「縦方向」に交差する方向に延在することを意味する。
【発明の効果】
【００１０】
本発明によれば、液剤の収容された収容室を開通させることによって初めて、挟持体が液剤の収容された収容室上をスライドし、挟持体をストッパー部までスライドさせた時に、吊掛部が吊り掛け可能となる。挟持部は、上記従来の未混合防止機構のように１つの収容部全体を覆う必要がないため小型化可能であり、また、上記従来の未混合防止機構に比較して嵩張らずに構成することができる。
【発明を実施するための最良の形態】
【００１１】
本発明に係る輸液バッグの好適な実施形態について図１〜７を参照しつつ説明する。なお、全図を通し、同様の構成部分には同符号を付した。
【００１２】
輸液バッグ１は、用時開通可能な仕切り手段２によって区画された複数の収容室３，４を有するバッグ本体５と、バッグ本体５の縦方向一方側端に取り付けられた注出口６と、バッグ本体５に挟持させた挟持体７と、を有している。なお、図中、符号８は、未開封保証のためのシールを示す。
【００１３】
バッグ本体５は、収容室３，４の少なくとも一方に液剤が収容されており、他の収容室は、液剤が収容されている場合と、粉末剤が収容されている場合とがある。図１の例では、注出口６側の収容室３に液剤が収容されている。
【００１４】
仕切り手段２は、図示例では、ヒートシールによって形成されている。バッグ本体５の周縁部５ａもヒートシールされているが、周縁部５ａのヒートシールに比べて、仕切り手段２のヒートシールは、シール強度を弱くしてあって、何れかの収容室３，４を手のひら等によって押圧することにより内部圧力が上昇して開通するようになっている。仕切り手段２は、ヒートシールに代えて、密閉可能なジッパーの類のものも使用し得る。
【００１５】
挟持体７は、互いに連結された一対の挟持片７ａ，７ｂと、輸液バッグ１を縦方向に吊すための吊掛部９とを備えている。
【００１６】
一対の挟持片７ａ，７ｂは、バッグ本体を横切るようにして配置されている。一対の挟持片７ａ，７ｂ間の隙間７ｃは、液剤の収容された収容室３を開通させることにより該液剤の収容された収容室３上を挟持体７がバッグ本体５の縦方向他方側（図１の上側）へスライド可能となるような寸法に形成されている。この隙間７ｃは、バッグ本体５の大きさや厚さ、液剤の収容量等によって適宜変更できるが、一般には３〜１５ｍｍの範囲にすることにより、収容室３が開通しないと挟持体７をスライドできなように設定できる。そして、液剤を収容する収容室が開通することにより、他の収容室との間で液剤が流通可能となり、挟持体７が液剤の収容された収容室３上を縦方向他方側へ移動可能となる。なお、隙間７ｃは、挟持片７ａ，７ｂの全長さに亘って同じ寸法である必要はなく、一端から他端にかけて徐々に狭くすることもできるし、挟持片７ａ，７ｂの長さ方向の中間付近で広くし、両端部付近に近づく程狭くする等、種々の態様を採用し得る。
【００１７】
挟持体７は、図１に示す例では、未混合時には、液剤が収容された収容室３の四辺のうち、注出口６に近い辺の近傍に配置されている。図２に変更態様を示すように、粉末剤の収容された収容室４が注出口６に近い側で液剤の収容された収容室３が注出口６から遠い側にある輸液バッグ１では、未混合時の挟持体７の位置は、液剤が収容された収容室３の辺のうち、注出口６に近い辺の近傍位置とすることができるが、これに限らず、当該位置（図２に実線で示された挟持体の位置）から注出口６近傍位置（図２に仮想線で示された挟持体の位置）までの間に配置することができる。なお、収容室３，４の双方が液剤の場合は、未混合時の挟持部の位置は、図１に示した位置となる。収容室が３以上ある場合も、液剤が収容されている収容室の注出口側の位置か、若しくは、当該位置から注出口６の近傍位置の間に配置することができる。
【００１８】
挟持体７は、収容室３，４に液剤等を収容し注出口６が取り付けられたバッグ本体５を製造した後に、いわゆる後付けすることができ、後付けによってバッグ本体５に挟持させる方法として、例えば、一対の挟持片７ａ，７ｂによりバッグ本体５を挟持させた状態で挟持片７ａ，７ｂの両端を嵌合、融着等の公知の手段に連結するか、或いは、一端がヒンジによって連結された一対の挟持片７ａ，７ｂによりバッグ本体５を挟持させた状態で他端を嵌合、融着等の公知手段により連結する方法がある。このような後付け可能な構成とすることにより、従来方法によって製造された（挟持体を有しない）輸液バッグを利用することができるため、生産設備を大規模に変更することなく、製造することができるというメリットがある。
【００１９】
なお、一対の挟持片７ａ，７ｂは、図１、２に示す例では両端が連結されているが、それに限らず、その一端のみが連結されていて、その他端は、例えば図３に示す変更態様のように連結されずに折り返した形状とする等により、挟持体７がその他端から抜脱しない構成とされていれば良い。
【００２０】
挟持体７は、プラスチックや金属等により形成することができるが、素材については特に限定されず、所望の強度を有するものであればよい。また、挟持片７ａ，７ｂの内面に縦向きのエンボス（スライド方向に延設された畝又はリブ）等を設けるか、微小な凹凸を形成すること等により（不図示）、輸液バッグとの接触面積を少なくして、スライドし易くすることもできる。
【００２１】
更に、輸液バッグ１は、バッグ本体５の縦方向他方側端から挟持体７が抜脱するのを防ぐストッパー部１０を有している（図４参照）。ストッパー部１０は、バッグ本体５の縦方向他方側の周縁部５ａに形成された突部によって構成することができる。図１〜４に示す例では、ストッパー部１０を構成する突部は、周縁部５ａに固着されたボタンによって形成されている。ストッパー部１０を構成する突部は、図１〜４に示すように周縁部５ａの表面に突出する形態のものに限らず、例えば、図５に示すように、周縁部５ａの縦方向他方端を側方へ突出する形態とすることによっても形成することができる。ストッパー部１０の形態は、挟持体７のスライドを止めることができる構成であれば良く、特に突部に限定されない。例えば、上側（縦方向他方側）の収容室に注出口６と同様の混注口（不図示）を設け、これをストッパー部に兼用することもできる。
【００２２】
吊掛部９は、挟持体７をストッパー部１０までスライドさせたときに、バッグ本体５から露出して吊掛け可能となるように構成されている。
【００２３】
図１〜５に示す例では、吊掛部９は、バッグ本体５の表面に沿って挟持片７ａから注出口６と反対側に延びる突片９ａと、突片９ａに形成された吊掛孔９ｂと、を有している。吊掛部９は、挟持片の一方のみに形成してもよく、両方に形成しても良い。
【００２４】
吊掛部９は、図示例のものに限らず、フック形等、バッグ本体５を吊り下げることができる形態であれば良く、例えば、図６に示すように、挟持体７をストッパー部１０までスライドさせたときに挟持片７ａの一部７ａ１と周縁部５ａとの間に開口１１が形成されるようにして、挟持片７ａの前記一部７ａ１を吊掛部とすることもできる。
【００２５】
なお、図１〜６に示した例では、仕切り手段２が横方向に延びる例について説明したが、本発明は、図７に示すように、仕切り手段２が縦方向に延びる例にも適用可能である。この例では、液剤の収容されている収容室３に注出口６が取り付けられている。挟持体７は、注出口６の近傍に配置されており、仕切り手段２を開通させることにより、収容室３上を縦方向他方側へスライドでき、ストッパー部１０によってスライドが止められると、吊掛部９の吊掛孔９ｂが露出して吊り掛け可能となる。また、挟持体７には、スライドを容易にするための指掛け孔（不図示）や、強度アップのための横方向リブなどの、種々のオプションを設けることもできる。
【００２６】
以上の説明から明らかなように、本発明に係る輸液バッグによれば、液剤の収容された収容室を開通させなければ吊り下げることができないため、収容室が未開通の状態で投与されることを確実に防ぐことができる。そして、収容室の開通後は、挟持体をスライドさせることにより、各収容室内の薬剤の混合を十分に行うことができる。さらに、構成がシンプルであり、安価に製造することができる。挟持体は、輸液バッグの縦方向ではなく横方向に延びる構成であるから、従来に比較して、小型化でき、嵩も低くすることができる。
【図面の簡単な説明】
【００２７】
【図１】本発明に係る輸液バッグの好適な実施形態を示す斜視図である。
【図２】図１の輸液バッグの変更態様を示す斜視図である。
【図３】図１の輸液バッグの変更態様を示す斜視図である。
【図４】図１の輸液バッグの使用状態を示す斜視図である。
【図５】図１の輸液バッグの変更態様を示す斜視図である。
【図６】図１の輸液バッグの、変更態様の使用状態を示す斜視図である。
【図７】図１の輸液バッグの変更態様を示す斜視図である。
【符号の説明】
【００２８】
１  輸液バッグ
２  仕切り手段
３  収容室
４  収容室
５  周縁部
６  注出口
７  挟持体
７ａ、７ｂ  挟持片
９  吊掛部
１０  ストッパー部
【図１】
0004731279.tif 000002
【図２】
0004731279.tif 000003
【図３】
0004731279.tif 000004
【図４】
0004731279.tif 000005
【図５】
0004731279.tif 000006
【図６】
0004731279.tif 000007
【図７】
0004731279.tif 000008